(57)【要約】【課題】本発明の被り物は、容易に組み立てができ、多方面に情報を発信することを目的とする。【解決手段】本発明に係る被り物は、一方の面と他方の面と、この両面を画する縁部とを有する平面紙に、２本の交わらない切り込みと該２本の切れ込みを接続する接続切り込みとから成るＨ字型の切込みを入れ、頭部に装着し得るように組み立て可能な被り物であって、前記平面紙は、前記Ｈ字型の切込みにより、前記２本の交わらない切り込みの前記縁部側に位置する２つの表示部と、前記２本の交わらない切り込みと前記接続切り込みとにより画されて、該接続切り込みを挟んで対向する２つの弁と、に区分けされ、前記２つの弁を、前記一方の面から前記他方の面方向へ共に湾曲させることにより、該２つの弁の該一方の面側を共に前記頭部の側頭部に当接させるとともに、前記２つの表示部を該頭部のそれぞれ前頭部と後頭部に当接させて、これを該他方の面から該一方の面方向へ共に起立させることにより頭部に装着する、１枚の紙から組み立て可能である。【選択図】図１Ａ
2018096016.tif 000002
【特許請求の範囲】
【請求項１】
一方の面と他方の面と、この両面を画する縁部とを有する平面紙に、
２本の交わらない切り込みと該２本の切れ込みを接続する接続切り込みとから成るＨ字型の切込みを入れ、頭部に装着し得るように組み立て可能な被り物であって、
前記平面紙は、前記Ｈ字型の切込みにより、
前記２本の交わらない切り込みの前記縁部側に位置する２つの表示部と、
前記２本の交わらない切り込みと前記接続切り込みとにより画されて、該接続切り込みを挟んで対向する２つの弁と、
に区分けされ、
前記２つの弁を、前記一方の面から前記他方の面方向へ共に湾曲させることにより、該２つの弁の該一方の面側を共に前記頭部の側頭部に当接させるとともに、前記２つの表示部の他方の面側を該頭部のそれぞれ前頭部と後頭部に当接させて、これを該前頭部と後頭部に沿って上方に起立させることにより頭部に装着する、１枚の紙から組み立て可能な被り物。
【発明の詳細な説明】
【技術分野】
【０００１】  本発明は、宣伝販促用に使用される簡単にかぶることが可能な紙製の被り物に関する。
【背景技術】
【０００２】  従来の紙製の被り物は、使用時に現場で折り重ねる必要があり、作業が煩雑であったり、組み立てに手間が掛かったりしていた。また、従来の紙製の被り物は、頭部に表示部が設けられており、情報発信が一方向にしか出来なかった。【０００３】
【特許文献１】実用新案登録３００７８７１号
【特許文献２】実用新案登録３００１３６０号
【発明の概要】
【発明が解決しようとする課題】
【０００４】  以上に述べた従来の紙製の被り物では、組み立て時に複雑な工程を要すると供に、使用時に組み立て部が外れるなどの問題があった。また、被り物の前方のみしか宣伝情報を記載できないため、一方面のみの情報発信しか出来ず、宣伝効果としては限定されるという問題があった。【０００５】  そこで本発明の被り物は、容易に組み立てができ、多方面に情報を発信することを目的とするものである。
【課題を解決するための手段】
【０００６】  本発明に係る被り物は、一方の面と他方の面と、この両面を画する縁部とを有する平面紙に、２本の交わらない切り込みと該２本の切れ込みを接続する接続切り込みとから成るＨ字型の切込みを入れ、頭部に装着し得るように組み立て可能な被り物であって、
前記平面紙は、前記Ｈ字型の切込みにより、前記２本の交わらない切り込みの前記縁部側に位置する２つの表示部と、前記２本の交わらない切り込みと前記接続切り込みとにより画されて、該接続切り込みを挟んで対向する２つの弁と、に区分けされ、
前記２つの弁を、前記一方の面から前記他方の面方向へ共に湾曲させることにより、該２つの弁の該一方の面側を共に前記頭部の側頭部に当接させるとともに、前記２つの表示部の他方の面側を該頭部のそれぞれ前頭部と後頭部に当接させて、これを該前頭部と後頭部に沿って上方に起立させることにより頭部に装着する、１枚の紙から組み立て可能である。【０００７】  上記、課題解決手段による作用は次の通りである。平面紙に入れたＨ字型の切れ込みによって出来た弁を折り曲げることにより、平面紙の中心に頭部に装着可能な空間を設けることが出来る。よって、複雑な組み立てを要することなく頭部に装着することが可能となる。また弁を折り曲げることにより、平面紙を立体形状にすると、頭部装着時の前方および後方に宣伝情報を付する面が出来る。このことにより宣伝情報を一方面にのみならず、多方面に発信することが可能となる。
【発明の効果】
【０００８】  上述したように、本発明は容易に組み立てができ、多方面に情報を発信することが可能な被り物を提供できる。表面と裏面（一方の面と他方の面）に、それぞれ２つずつの表示部を設けることができるので、リバーシブルに用いれば、少なくとも４か所の表示部を用いて宣伝広告を行うことができる。
【図面の簡単な説明】
【０００９】
【図１Ａ】本発明に係る平面紙の平面図。
【図２Ｂ】本発明に係る平面紙の底面図。
【図２】本発明に係る被り物を組み立てた状態の平面図。
【図３】本発明に係る被り物を組み立てて頭部に装着した時の正面図。
【図４】本発明に係る被り物を組み立てて頭部に装着した時の背面図。
【発明を実施するための形態】
【００１０】  以下、図面を参照しながら本発明に係る被り物の実施形態について説明する。なお、以下各図面を通して同一の構成要素には同一の符号を使用するものとする。
【００１１】  本発明に係る被り物１は、図１Ａおよび図１Ｂを参照して、一方の面２ａと他方の面２ｂと、この両面２ａ、２ｂを画する縁部２ｃとを有する平面紙２に、２本の交わらない切り込み１１ａ、１１ｂと該２本の切れ込み１１ａ、１１ｂを接続する接続切り込み１２とから成るＨ字型の切込み１０を入れ、頭部に装着し得るように組み立て可能な被り物である。
【００１２】  このような平面紙２は、Ｈ字型の切込み１０により、２本の交わらない切り込み１１ａ、１１ｂの縁部２ｃ側に位置する２つの表示部５、６と、２本の交わらない切り込み１１ａ、１１ｂと接続切り込み１２とにより画されて、接続切り込み１２を挟んで対向する２つの弁３、４と、に区分けさる。
【００１３】  そして、２つの弁３、４を、一方の面２ａから他方の面２ｂ方向へ共に湾曲させることにより、２つの弁３、４の一方の面２ａ側を共に上記頭部の側頭部に当接させるとともに２つの表示部５、６の他方の面２ｂ側を当該頭部のそれぞれ前頭部と後頭部に当接させて、これを当該前頭部と後頭部に沿って上方に起立させることにより頭部に装着することができる。
【実施例１】
【００１４】  本実施例１に係る被り物１を構成する平面紙２は、原紙を所定の形状に切り抜いて形成する。  図１Ａおよび図１Ｂにおいて、まず原紙の平面紙２の表示部５、６に相当する位置に宣伝情報を印刷したのち、平面紙２を上記所定の形状に切り抜く。その後、宣伝情報に沿うように、平面紙２の中心にＨ字型の切り込み１０を入れる。切り込み１０を入れることによって出来た弁３、４を湾曲させることで、宣伝情報を付する表示部５、６が立ち上がり、図２における、頭部に装着可能な空間７ができる。この頭部に装着可能な空間７を、図３および図４における頭部１００に装着することにより、宣伝販促効果が得られる。【００１５】  本実施例１において、宣伝情報を付する表示部５、６は、一方の面２ａ（表面）のみに設けているが、平面紙２の他方の面２ｂ（裏面）に表示部５’、６’を設けても良い。宣伝情報を付する面を表面と裏面の両面とする場合、表示部５、６（表面）と表示部５’、６’（裏面）とで宣伝広告を行うことができ、本発明をリバーシブルで使うことが可能となる。なお、弁３、４は、印刷してもしなくても良い。【００１６】  その他、本発明は、その主旨を逸脱しない範囲で当業者の知識に基づき種々の改良、修正、変更を加えた態様で実施できるものである。
【産業上の利用可能性】
【００１７】  本発明に係る被り物は、各種イベントや競技場などでの各種応援などに利用することが出来る。
【符号の説明】
【００１８】１：被り物
２：平面紙
２ａ：一方の面
２ｂ：他方の面
２ｃ：縁部
３：一方の弁
４：他方の弁
５：一方の表示部
６：他方の表示部
７：頭部に装着可能な空間
１０：Ｈ字型の切込み
１１ａ、１１ｂ：２本の交わらない切り込み
１２：接続切り込み
１００：頭部
【図１Ａ】
2018096016.tif 000003
【図１Ｂ】
2018096016.tif 000004
【図２】
2018096016.tif 000005
【図３】
2018096016.tif 000006
【図４】
2018096016.tif 000007
【手続補正書】
【提出日】平成29年3月31日(2017.3.31)
【手続補正１】
【補正対象書類名】明細書
【補正対象項目名】０００９
【補正方法】変更
【補正の内容】
【０００９】
【図１Ａ】本発明に係る平面紙の平面図
【図１Ｂ】本発明に係る平面紙の底面図
【図２】本発明に係る被り物を組み立てた状態の平面図
【図３】本発明に係る被り物を組み立てて頭部に装着した時の正面図
【図４】本発明に係る被り物を組み立てて頭部に装着した時の背面図